(57)【要約】【課題】調理器本体の余分な電源コードを格納することにより、調理器を設置したテーブルを体裁よく使用できるとともに不使用時の電源コードおよびプラグの損傷を防止すること。【解決手段】テーブルに組込まれる調理器本体と、調理器本体に接続される電源コードを備えた電気調理器において、電源コード２１の収納構造として、電源コード巻取用ハブ体１３をテーブル下面に固定する。電源コード巻取用ハブ体１３は、貫通穴１８によってビス２６でテーブルに固定され、電源コード２１を有底円柱芯１６に巻き付け、任意の長さに調整することができ、鍔部１５には電源コード２１を嵌め込むための、Ω字状切欠部２４を備える。開口部１４には、突起部２７が設けられ、プラグ端子２０を挿入、固定するための挿入穴２７ａを形成する。【選択図】図２
2006216356.tif 000002
【特許請求の範囲】
【請求項１】
開口部に鍔部を一体に形成した有底円柱芯の底部の内側部には、ビス止用の貫通穴を設け、前記底部の外側部には、電気調理器用テーブルに設けられた加熱装置に電気的接続した、プラグ端子を備えてなる電源コードを装着する挿着凹溝を設けると共に、前記鍔部の周縁先端部には前記有底円柱芯に巻回した前記電源コードが緩むのを防止する切欠部を設けて構成した電源コード巻取用ハブ体が、前記挿着凹溝内の前記電源コードが抜け外れぬように、前記テーブルに前記貫通穴を介してビスで固定されていることを特徴とする電源コード収納装置付電気調理器。
【請求項２】
前記有底円柱芯の底部の内側部には、前記電源コードの前記プラグ端子を装着する突起部が設けられ、前記プラグ端子は三端子または二端子であり、前記突起部には各端子を挿入する穴が形成され、前記プラグ端子側の前記電源コードが前記切欠部で挟持して前記開口部側に折り曲げられ、前記各端子が前記穴に挿入されることにより前記プラグ端子が前記突起部に装着されることを特徴とする請求項１記載の電源コード収納装置付電気調理器。
【発明の詳細な説明】
【技術分野】
【０００１】
本発明は、テーブル組込み型として使用される電気調理器に関するものであり、特に電気調理器に用いられる電源コード収納装置に関するものである。
【背景技術】
【０００２】
従来、テーブル組込み型として使用される電気調理器は、少なくとも１個以上の電熱ヒータや誘導加熱ヒータを夫々用いたものが一般的である。
【０００３】
即ち、図６に示す通り、テーブル本体１の上面にはセラミック等により構成された調理プレート２があり、その調理プレート２の下部には、例えば誘導加熱コイル３が設けられ、４は該誘導加熱コイル３の支持板であり、誘導加熱コイル３の駆動は駆動回路５に接続されて通電を制御されている。
【０００４】
この通電はこの駆動回路５から直接接続処理された、プラグ７を有する電源コード８が用いられ、また他の例として駆動回路５との接続にコンセント６を用い、両端にプラグ７を有する電源コード８が用いられている。
【０００５】
一般にこれらの電源コード８はアース電極を備えた比較的太いコードであり、使用しない場合、または、電気調理器を組込んだテーブルを移動する際は、商用電源（図示せず）から電源コード８を安全上取り外したままで放置しておくことは、この電源コード８やプラグ７を破損し絶縁不良を惹起する恐れがあるので、その際には、この電源コード８を手で直接束１０に丸めて、例えば、支持板４の一部に設けられた金具１１に掛け止めするか、若しくはテーブル１の脚９に、手で直接巻回１２などして縛り付けたりして処理されている。
【０００６】
しかし、その取扱いは不便と同時に外観上も良くない。また、電熱ヒータや誘導加熱ヒータの近傍にそのコイルに接続された専用のコンセント若しくはプラグを設ける手段もあるが、この場合、一般には使用毎に、プラグ若しくはコンセントを有する、前記商用電源に接続する電源コードを必要とされるが、使用毎に必要とせず前記プラグ若しくはコンセントに電源コードを取り付けたままで使用されるので、同様な問題点が生じている。
【０００７】
特に商業用大型の電気調理器の場合は、狭い部分にて電気接続する作業手続が大変であり、その作業は頻繁であり、また、取り除いた電源コードの取扱いや、その保管など作業操作が煩雑になる欠点を有している。
【０００８】
【特許文献１】特開２０００−２５２６４８号公報
【発明の開示】
【発明が解決しようとする課題】
【０００９】
本発明は、上述の如く、テーブルの脚等に縛り付けたりして電源コードが収納処理されているがその取扱いは大変不便であり、作業が煩雑で外観上も良くない欠点を、太い電気コード、特に電熱ヒータや誘導加熱ヒータに直接又は間接に電気的に接続された電源コードを容易な作業で収納でき、その作業が極めて容易簡単であり、且外観も良く、簡素であり作業時間の大幅な削減ができる電源コード収納装置付電気調理器を提供することを目的としている。
【課題を解決するための手段】
【００１０】
本発明に係る電源コード収納装置付電気調理器は、上述した目的を達成するため、開口部に鍔部を一体に形成した有底円柱芯の底部の内側部には、ビス止用の貫通穴を設け、前記底部の外側部には、電気調理器用テーブルに設けられた加熱装置に電気的接続した、プラグ端子を備えてなる電源コードを装着する挿着凹溝を設けると共に、前記鍔部の周縁先端部には前記有底円柱芯に巻回した前記電源コードが緩むのを防止する切欠部を設けて構成した電源コード巻取用ハブ体が、前記挿着凹溝内の前記電源コードが抜け外れぬように、前記テーブルの取付面に、前記貫通穴を介してビスで、固定することを特徴とする。
【００１１】
更に、前記有底円柱芯の底部の内側部には、前記電源コードの前記プラグ端子を夫々装着した突起部とビス止用の前記貫通穴を設けて、前記加熱装置側の前記電源コードを挿着した前記挿着凹溝を前記テーブルの取付面に接するように前記貫通穴を介してビスで固定し、かつ、前記電源コード巻取用ハブ体の前記有底円柱芯に前記電源コードが巻回され、かつ、前記プラグ端子側の前記電源コードが前記切欠部で挟持して前記開口部側に折り曲げられ、前記プラグ端子は前記突起部に装着される。
【発明の効果】
【００１２】
本発明に係る電源コード収納装置付電気調理器によれば、以下のような効果が得られる。
【００１３】
（ア）電源コード巻取用ハブ体が、前記加熱装置側の前記電源コードを挿着した前記挿着凹溝を前記テーブルの取付面に接するように前記貫通穴を介して、ビスで固定してあるので、残りの電源コードを前記有底円柱芯に複数巻回し、更に前記切欠部を通すのみで、若しくはその先端のプラグ端子を前記突起部に収納させることで、前記電源コードやそのプラグ端子の損傷を防止できる。
【００１４】
（イ）電熱ヒータや誘導加熱ヒータに直接又は間接に電気的に接続された電源コードを整然と収納でき、その作業が極めて簡単であり、且外観も良く、構造も簡素であり作業時間の大幅な削減ができる。
【００１５】
（ウ）電源コードを商用電源に接続する場合は、収納された電源コードを取り外しさえすればよく煩雑な作業を必要とせず極めて簡単である。
【００１６】
（エ）電源コード収納装置に電源コードを収納することにより、電気調理器を組込んだテーブルを移動する際に生じる電源コードの損傷や切断を未然に防止できる。
【発明を実施するための最良の形態】
【００１７】
以下、本発明を実施するための最良の形態について、添付した図面を参照しながら詳細に説明する。
【００１８】
本発明の一つは、開口部に鍔部を一体に形成した有底円柱芯の底部の内側には、少なくともビス止用の複数の貫通穴を設け、前記底部の外側には、電気調理器用テーブルに設けられた加熱装置に電気的接続した、プラグ端子を有する、電源コードを装着する挿着凹溝を設けると共に、前記鍔部の周縁先端部には前記有底円柱芯に巻回した前記電源コードを挟持して巻回が緩むのを防止する切欠部を設けて構成した電源コード巻取用ハブ体が、前記挿着凹溝内の前記電源コードが溝内から抜け外れぬように前記テーブルの取付面に前記貫通穴を介して、ビスで固定されるので、電熱ヒータや誘導加熱ヒータの加熱装置に直接又は間接に電気的接続された、商用電源に接続されるプラグ端子を有する電源コードを整然と収納でき、その作業が極めて簡単であり、且外観も良く、簡素であり整理作業時間の大幅な削減を図ることができる。
【００１９】
本発明のもう一つは、開口部に鍔部を一体に形成した有底円柱芯の底部の内側には、前記電源コードの前記プラグ端子を夫々挿置固定した突起部とビス止用の複数の前記貫通穴を設けていると共に、前記電源コードを挿着した前記挿着凹溝を前記テーブルの取付面に接して前記貫通穴を介してビスで固定した前記電源コード巻取用ハブ体の前記有底円柱芯に前記電源コードが巻回され、前記切欠部を介して前記開口部に折り曲げられて前記プラグ端子が前記突起部に装置固定されていることなので、プラグ端子の損傷を防止する相乗効果が生じる。
【００２０】
併せて電熱ヒータや誘導加熱ヒータに直接又は間接に電気的に接続された電源コードを整然と収納でき、その作業が極めて簡単であり、且外観も良く、簡素であり整理作業時間の大幅な削減ができる。
【００２１】
図１〜図３は本発明に係る電源コード巻取用ハブ体１３の構造を示したもので、開口部１４に鍔部１５を一体に形成した有底円柱芯１６の底部の内側部１７には、少なくともビス止用の複数の貫通穴１８を設け、底部の外側部１９には、周縁に壁２３を立設し、かつ、電気調理器用テーブル（図示せず）の加熱装置（図示せず）に電気的接続した、プラグ端子２０を備えてなる電源コード２１を、図４の実施説明の如く、直接装着する壁２３で区画された挿着凹溝２２を設けると共に、前記鍔部１５の周縁先端部には、前記有底円柱芯１６に巻回した前記電源コード２１を挟持してその巻回が緩むのを防止するΩ字状切欠部２４を設けて構成した上述の前記電源コード巻取用ハブ体１３が、前記挿着凹溝２２内の前記電源コード２１が溝内から抜け外れぬように、壁２３の上端面を前記テーブルの取付面２５に当接させ、その取付面２５に前記貫通穴１８を介して、ビス２６で固定させてある。
【００２２】
以上のように電源コード２１が有底円柱芯１６に巻回収納されるので、この場合は前記プラグ端子２０が前記電源コード２１を介して前記Ω字状切欠部２４で挟持されたままになり、その端子は露出のままで吊り下がることになる。
【００２３】
また、その端子を保護する必要がある場合や前記取付面２５が垂直な場合は、前記プラグ端子２０を図２に示すように、前記開口部１４に鍔部１５を一体に形成した有底円柱芯１６の底部の内側部１７には、前記電源コード２１のプラグ端子２０の端子２０ａを夫々装着した突起部２７とビス止用の前記貫通穴１８を併設すると共に、図４に示す如く、前記電源コード２１を挿着した前記挿着凹溝２２を前記テーブルの取付面２５に接して前記貫通穴１８を介してビス２６で固定した前記電源コード巻取用ハブ体１３の前記有底円柱芯１６に前記電源コード２１が巻回され、前記切欠部２４を介して前記開口部１４に折り曲げられて、前記プラグ端子２０の端子２０ａが前記突起部２７の挿入穴２７ａに装着される。
【００２４】
尚、この電源コード巻取用ハブ体１３は、絶縁性に富み、成型性のある例えばＰＰ系の耐熱樹脂で一体に形成されて構成され、有底円柱芯１６に調理終了毎に電源コード２１を巻回するので強靭性のある樹脂で成型されることが望ましい。
【００２５】
このようにして構成される前記電源コード巻取用ハブ体１３を用いることにより、図５の説明図に示す如く、電熱ヒータや誘導加熱ヒータの加熱装置に直接又は間接に電気的に接続された電源コード２１を整然と収納できると共にプラグ端子２０の損傷を防止でき併せて電気調理器を組込んだテーブルを移動する際に生じる電源コード２１の損傷や切断を防止できる電源コード収納装置付電気調理器を実現提供することができる。
【図面の簡単な説明】
【００２６】
【図１】本発明、一実施例の電源コード巻取用ハブ体の平面図及びその斜視説明図。
【図２】本発明、一実施例の電源コード巻取用ハブ体の裏面図及びその斜視説明図。
【図３】本発明、一実施例の電源コード巻取用ハブ体の側面図。
【図４】電源コードが収納された実施説明図。
【図５】電源コード収納装置付電気調理器の断面説明図。
【図６】従来の電気調理器における電源コードの収納方法を示す断面説明図。
【符号の説明】
【００２７】
１    テーブル本体
２    調理プレート
３    誘導加熱コイル
４    支持板
５    駆動回路
６    コンセント
７    プラグ
８    電源コード
９    脚
１０    直接束
１１    金具
１２    直接巻回
１３    電源コード巻取用ハブ体
１４    開口部
１５    鍔部
１６    有底円柱芯
１７    内側部
１８    貫通穴
１９    外側部
２０    プラグ端子
２０ａ  端子
２１    電源コード
２２    装着凹溝
２３    壁
２４    Ω字状切欠部
２５    取付面
２６    ビス
２７    突起部
２７ａ  挿入穴
【図１】
2006216356.tif 000003
【図２】
2006216356.tif 000004
【図３】
2006216356.tif 000005
【図４】
2006216356.tif 000006
【図５】
2006216356.tif 000007
【図６】
2006216356.tif 000008